(57)【要約】      （修正有）【課題】カニューレを組織に固定し、そして通気ガスの漏出を防止するように、カニューレを繋留するための手段を提供する。【解決手段】カニューレであって、長手軸方向に延びる中心作業通路１４および少なくとも１つの繋留部材１４、１６、１８、２０を有するカニューレ本体１０であって、該繋留部材は、形状記憶ポリマー、形状記憶金属、形状記憶合金、電気活性ポリマー、およびこれらの組み合わせからなる群より選択される材料を含む。【選択図】図１Ａ
2009095675.tif 000002
【特許請求の範囲】
【請求項１】
カニューレであって、
長手軸方向に延びる中心作業通路および少なくとも１つの繋留部材を有するカニューレ本体であって、該繋留部材は、形状記憶ポリマー、形状記憶金属、形状記憶合金、電気活性ポリマー、およびこれらの組み合わせからなる群より選択される材料を含む、カニューレ本体、
を備える、カニューレ。
【請求項２】
前記繋留部材が、ポリウレタン、ポリ（スチレン−ブタジエン）ブロックコポリマー、ポリノルボルネン、カプロラクトン、ジオキサノン、ジオールエステル、エーテル−エステルジオール、カーボネート、およびこれらの組み合わせから選択される形状記憶ポリマーを含む、請求項１に記載のカニューレ。
【請求項３】
前記繋留部材が、オリゴ（ε−カプロラクトン）ジオール、乳酸、ラクチド、グリコール酸、グリコリド、オリゴ（ｐ−ジオキサノン）ジオール、トリメチレンカーボネート、およびこれらの組み合わせから選択される形状記憶ポリマーを含む、請求項１に記載のカニューレ。
【請求項４】
前記繋留部材が、ポリ（スチレン−ブタジエン）コポリマー、オリゴ（ε−カプロラクトン）ジオール／オリゴ（ｐ−ジオキサノン）ジオールコポリマー、およびポリ（ε−カプロラクトン）ジメタクリレート−ポリ（アクリル酸ｎ−ブチル）コポリマーから選択される形状記憶ポリマーを含む、請求項１に記載のカニューレ。
【請求項５】
前記繋留部材が、ウレタン、乳酸、グリコール酸、アクリレート、カプロラクトン、これらのホモポリマー、これらのコポリマー、およびこれらの組み合わせからなる群より選択される材料のブレンドを含む形状記憶ポリマーを含む、請求項１に記載のカニューレ。
【請求項６】
前記繋留部材が、約３０℃〜約５０℃の温度で形状の変化を起こす形状記憶ポリマーを含む、請求項１に記載のカニューレ。
【請求項７】
前記繋留部材が、ポリ（アニリン）、置換ポリ（アニリン）、ポリカルバゾール、置換ポリカルバゾール、ポリインドール、ポリ（ピロール）、置換ポリ（ピロール）、ポリ（チオフェン）、置換ポリ（チオフェン）、ポリ（アセチレン）、ポリ（エチレンジオキシチオフェン）、ポリ（エチレンジオキシピロール）、ポリ（ｐ−フェニレンビニレン）、およびこれらの組み合わせからなる群より選択される電気活性ポリマーを含む、請求項１に記載のカニューレ。
【請求項８】
前記電気活性ポリマーが、約５ボルト〜約３０ボルトの量の電気の印加の際に形状の変化を起こす、請求項７に記載のカニューレ。
【請求項９】
前記繋留部材が、化学的方法および物理的方法のうちの少なくとも一方、またはこれらの組み合わせによって、シャフトに固定されている、請求項１に記載のカニューレ。
【請求項１０】
前記繋留部材が、接着剤、封止剤、および膠のうちの１つによって、前記シャフトに化学的に固定されている、請求項９に記載のカニューレ。
【請求項１１】
前記繋留部材が、該繋留部材の近位端および遠位端に位置する止めリングによって、前記シャフトに物理的に固定されている、請求項９に記載のカニューレ。
【請求項１２】
前記繋留部材が、第一の拡張環状直径を有するリングを備える永続的形状と、圧縮環状直径を有する一時的形状とを有する、請求項１に記載のカニューレ。
【請求項１３】
前記繋留部材が、約０．７５インチ〜約１．７５インチ（約１．９０ｃｍ〜約４．４４ｃｍ）の拡張環状直径を有する永続的形状と、約０．００２インチ〜約０．０１インチ（約０．００５１ｃｍ〜約０．０２５ｃｍ）の圧縮環状直径を有する一時的形状とを有する、請求項１に記載のカニューレ。
【請求項１４】
前記繋留部材が、第一の圧縮環状直径を有するリングを備える永続的形状と、より大きい拡張環状直径を有する一時的形状とを有する、請求項１に記載のカニューレ。
【請求項１５】
前記繋留部材が、約０．００２インチ〜約０．０１インチ（約０．００５１ｃｍ〜約０．０２５ｃｍ）の圧縮直径を有する永続的形状と、約０．７５インチ〜約１．７５インチ（約１．９０ｃｍ〜約４．４４ｃｍ）の拡張直径を有する一時的形状とを有する、請求項１に記載のカニューレ。
【請求項１６】
前記繋留部材が、角張った突出部を備える永続的形状と、滑らかな平坦な構成を備える一時的形状とを有する、請求項１に記載のカニューレ。
【請求項１７】
前記カニューレが、エネルギーの適用の際にアコーディオン形状を呈する、請求項１６に記載のカニューレ。
【請求項１８】
前記繋留部材が、エネルギーの適用の際に拘束する少なくとも１つの拘束セグメントを備える、請求項１７に記載のカニューレ。
【請求項１９】
前記繋留部材が、角張ったＶ字型の突出部を有する永続的形状と、滑らかな平坦な構成を有する一時的形状とを有する、請求項１６に記載のカニューレ。
【請求項２０】
前記繋留部材が、切頭円錐構成を有する永続的形状と、滑らかな平坦な構成を有する一時的形状とを有する、請求項１６に記載のカニューレ。
【請求項２１】
前記繋留部材が前記カニューレの表面に適用されている、請求項１に記載のカニューレ。
【請求項２２】
前記カニューレの壁の少なくとも一部分が、繋留部材を備える、請求項１に記載のカニューレ。
【請求項２３】
前記繋留部材が、医薬をさらに含む、請求項１に記載のカニューレ。
【発明の詳細な説明】
【技術分野】
【０００１】
（関連出願の引用）
本願は、２００７年１０月１７日に出願された、米国仮特許出願番号６０／９８０，５７９の利益および優先権を主張する。この米国仮特許出願の全開示は、本明細書中に参考として援用される。
【０００２】
（技術分野）
本開示は、外科手術手順において使用するためのカニューレを提供し、そしてより特定すると、エネルギーの適用の際に構成を変更して患者の身体への挿入のときに繋留カニューレを組織に繋留する材料を、繋留カニューレ上に有するかまたは繋留カニューレの一部として有する、繋留カニューレに関する。このようなカニューレを使用する方法もまた提供される。
【背景技術】
【０００３】
腹腔鏡手順の間、カニューレが、外科手術用器具のためのアクセスポート、および体腔内に通気ガスを導入するための導管を提供するために利用される。ある実施形態において、鋭利なトロカールがカニューレ内に配置され得、そして組織または腹壁を穿孔または穿刺するために利用され得る。その後、このトロカールが除去され得、このカニューレを適所に残し、そして通気ガスが体腔に入れられて、腹腔手術空間を形成し得る。腹腔鏡手順の間のアクセスポート（例えば、カニューレ）の保持は、非常に重要である。なぜなら、これらのポートは、患者から偶然に排出され得、外科医に対する不便さ、気腹の損失、および手順時間の増加を生じ得るからである。
【０００４】
カニューレが挿入部を通って内外へと移動することを防止する目的で、いくつかのカニューレは、このカニューレが切開部から滑り出ることを防止するための繋留構造体を備え得る。例えば、特許文献１および特許文献２（これらの各々の全開示は、本明細書中に参考として援用される）に開示されるように、カニューレを繋留することを補助するために、バルーンが、いくつかのデバイスにおいて使用されている。しかし、この繋留構造体が組織にしっかりと固定されない限り、通気ガスの漏出が起こり得る。
【特許文献１】米国特許第５，４６８，２４８号明細書
【特許文献２】米国特許出願公開第２００４／０１３８７０２号明細書
【発明の開示】
【発明が解決しようとする課題】
【０００５】
従って、カニューレを組織に固定し、そして通気ガスの漏出を防止するように、カニューレを繋留するための手段が依然として望ましい。
【課題を解決するための手段】
【０００６】
上記課題を解決するために、本発明は、例えば、以下を提供する：
（項目１）
カニューレであって、
長手軸方向に延びる中心作業通路および少なくとも１つの繋留部材を有するカニューレ本体であって、該繋留部材は、形状記憶ポリマー、形状記憶金属、形状記憶合金、電気活性ポリマー、およびこれらの組み合わせからなる群より選択される材料を含む、カニューレ本体、
を備える、カニューレ。
【０００７】
（項目２）
上記繋留部材が、ポリウレタン、ポリ（スチレン−ブタジエン）ブロックコポリマー、ポリノルボルネン、カプロラクトン、ジオキサノン、ジオールエステル、エーテル−エステルジオール、カーボネート、およびこれらの組み合わせから選択される形状記憶ポリマーを含む、項目１に記載のカニューレ。
【０００８】
（項目３）
上記繋留部材が、オリゴ（ε−カプロラクトン）ジオール、乳酸、ラクチド、グリコール酸、グリコリド、オリゴ（ｐ−ジオキサノン）ジオール、トリメチレンカーボネート、およびこれらの組み合わせから選択される形状記憶ポリマーを含む、項目１に記載のカニューレ。
【０００９】
（項目４）
上記繋留部材が、ポリ（スチレン−ブタジエン）コポリマー、オリゴ（ε−カプロラクトン）ジオール／オリゴ（ｐ−ジオキサノン）ジオールコポリマー、およびポリ（ε−カプロラクトン）ジメタクリレート−ポリ（アクリル酸ｎ−ブチル）コポリマーから選択される形状記憶ポリマーを含む、項目１に記載のカニューレ。
【００１０】
（項目５）
上記繋留部材が、ウレタン、乳酸、グリコール酸、アクリレート、カプロラクトン、これらのホモポリマー、これらのコポリマー、およびこれらの組み合わせからなる群より選択される材料のブレンドを含む形状記憶ポリマーを含む、項目１に記載のカニューレ。
【００１１】
（項目６）
上記繋留部材が、約３０℃〜約５０℃の温度で形状の変化を起こす形状記憶ポリマーを含む、項目１に記載のカニューレ。
【００１２】
（項目７）
上記繋留部材が、ポリ（アニリン）、置換ポリ（アニリン）、ポリカルバゾール、置換ポリカルバゾール、ポリインドール、ポリ（ピロール）、置換ポリ（ピロール）、ポリ（チオフェン）、置換ポリ（チオフェン）、ポリ（アセチレン）、ポリ（エチレンジオキシチオフェン）、ポリ（エチレンジオキシピロール）、ポリ（ｐ−フェニレンビニレン）、およびこれらの組み合わせからなる群より選択される電気活性ポリマーを含む、項目１に記載のカニューレ。
【００１３】
（項目８）
上記電気活性ポリマーが、約５ボルト〜約３０ボルトの量の電気の印加の際に形状の変化を起こす、項目７に記載のカニューレ。
【００１４】
（項目９）
上記繋留部材が、化学的方法および物理的方法のうちの少なくとも一方、またはこれらの組み合わせによって、シャフトに固定されている、項目１に記載のカニューレ。
【００１５】
（項目１０）
上記繋留部材が、接着剤、封止剤、および膠のうちの１つによって、上記シャフトに化学的に固定されている、項目９に記載のカニューレ。
【００１６】
（項目１１）
上記繋留部材が、該繋留部材の近位端および遠位端に位置する止めリングによって、上記シャフトに物理的に固定されている、項目９に記載のカニューレ。
【００１７】
（項目１２）
上記繋留部材が、第一の拡張環状直径を有するリングを備える永続的形状と、圧縮環状直径を有する一時的形状とを有する、項目１に記載のカニューレ。
【００１８】
（項目１３）
上記繋留部材が、約０．７５インチ〜約１．７５インチ（約１．９０ｃｍ〜約４．４４ｃｍ）の拡張環状直径を有する永続的形状と、約０．００２インチ〜約０．０１インチ（約０．００５１ｃｍ〜約０．０２５ｃｍ）の圧縮環状直径を有する一時的形状とを有する、項目１に記載のカニューレ。
【００１９】
（項目１４）
上記繋留部材が、第一の圧縮環状直径を有するリングを備える永続的形状と、より大きい拡張環状直径を有する一時的形状とを有する、項目１に記載のカニューレ。
【００２０】
（項目１５）
上記繋留部材が、約０．００２インチ〜約０．０１インチ（約０．００５１ｃｍ〜約０．０２５ｃｍ）の圧縮直径を有する永続的形状と、約０．７５インチ〜約１．７５インチ（約１．９０ｃｍ〜約４．４４ｃｍ）の拡張直径を有する一時的形状とを有する、項目１に記載のカニューレ。
【００２１】
（項目１６）
上記繋留部材が、角張った突出部を備える永続的形状と、滑らかな平坦な構成を備える一時的形状とを有する、項目１に記載のカニューレ。
【００２２】
（項目１７）
上記カニューレが、エネルギーの適用の際にアコーディオン形状を呈する、項目１６に記載のカニューレ。
【００２３】
（項目１８）
上記繋留部材が、エネルギーの適用の際に拘束する少なくとも１つの拘束セグメントを備える、項目１７に記載のカニューレ。
【００２４】
（項目１９）
上記繋留部材が、角張ったＶ字型の突出部を有する永続的形状と、滑らかな平坦な構成を有する一時的形状とを有する、項目１６に記載のカニューレ。
【００２５】
（項目２０）
上記繋留部材が、切頭円錐構成を有する永続的形状と、滑らかな平坦な構成を有する一時的形状とを有する、項目１６に記載のカニューレ。
【００２６】
（項目２１）
上記繋留部材が上記カニューレの表面に適用されている、項目１に記載のカニューレ。
【００２７】
（項目２２）
上記カニューレの壁の少なくとも一部分が、繋留部材を備える、項目１に記載のカニューレ。
【００２８】
（項目２３）
上記繋留部材が、医薬をさらに含む、項目１に記載のカニューレ。
【００２９】
本開示は、外科手術において使用するためのカニューレに関する。このカニューレは、その一部分に繋留部材を有し、この繋留部分は、エネルギーの適用の際に交互の形状を呈し、これによって、このカニューレを組織に固定する。
【００３０】
（要旨）
本開示は、外科手術において使用するためのカニューレを提供する。ある実施形態において、これらのカニューレは、このカニューレまたはその一部に繋留部材を有し得る。この繋留部材は、エネルギーの適用の際にその形状を変化させ得、これによって、このカニューレを組織に固定する。
【００３１】
ある実施形態において、本開示のカニューレは、カニューレ本体を備え得、このカニューレ本体は、長手軸方向に延びる中心作業通路および少なくとも１つの繋留部材を有する。この繋留部材は、形状記憶ポリマー、形状記憶金属、形状記憶合金、電気活性ポリマー、およびこれらの組み合わせを含み得る。この繋留部材は、化学的方法、物理的方法、およびこれらの組み合わせを使用して、シャフトに固定され得る。
【００３２】
ある実施形態において、本開示のカニューレの繋留部材は、環状直径（時々、拡張環状直径と称される）を有するリングを備える永続的形状と、より小さい圧縮環状直径を有する一時的形状とを有し得る。他の実施形態において、この繋留部材は、圧縮環状直径を有するリングを備える永続的形状と、より大きい拡張環状直径を有する一時的形状とを有し得る。
【００３３】
他の実施形態において、本開示のカニューレの繋留部材は、環状突出部を備える永続的形状と、滑らかな平坦な構成を備える一時的形状とを有し得る。
【００３４】
いくつかの実施形態において、本開示のカニューレの繋留部材はまた、医薬を含み得る。
【００３５】
本開示のカニューレを利用するための方法もまた、提供される。
【発明の効果】
【００３６】
本発明により、カニューレを組織に固定し、そして通気ガスの漏出を防止するように、カニューレを繋留するための手段が提供される。
【発明を実施するための最良の形態】
【００３７】
（詳細な説明）
本開示は、カニューレ本体を備える繋留カニューレを提供し、このカニューレ本体は、このカニューレ本体に固定されたかまたは組み込まれた繋留部材を有する。この繋留部材は、エネルギー（例えば、電気または熱（体温を含む））の適用の際にその形状を変化させてカニューレを体内に固定し得る材料から作製され得る。このような材料としては、例えば、形状記憶ポリマー、形状記憶金属、形状記憶合金、電気活性ポリマー、これらの組み合わせなどが挙げられる。
【００３８】
ある実施形態において、形状記憶材料は、本開示のカニューレ上に繋留部材を形成するために利用され得る。このような形状記憶材料は、永続的形状および一時的形状を有する。ある実施形態において、この一時的形状は、繋留部材を有するカニューレを患者の身体に導入する能力を増強する構成のものであり、一方で、永続的形状は、切開の部位でのカニューレの保持を増強する構成のものである。繋留部材を形作るために利用され得る適切な形状記憶ポリマー材料としては、例えば、ポリウレタン、ポリ（スチレン−ブタジエン）ブロックコポリマー、ポリノルボルネン、カプロラクトン、ジオキサノン、ジオールエステル（オリゴ（ε−カプロラクトン）ジオールが挙げられる）、乳酸、ラクチド、グリコール酸、グリコリド、エーテル−エステルジオール（オリゴ（ｐ−ジオキサノン）ジオールが挙げられる）、カーボネート（トリメチレンカーボネートが挙げられる）、これらの組み合わせなどが挙げられる。ある実施形態において、形状記憶ポリマーは、異なる熱特性を有する２つの成分のコポリマー（例えば、オリゴ（ε−カプロラクトン）ジメタクリレートとアクリル酸ブチルとのコポリマー（ポリ（ε−カプロラクトン）ジメタクリレート−ポリ（アクリル酸ｎ−ブチル）が挙げられる）、またはジオールエステルとエステル−エーテルジオールとのコポリマー（例えば、オリゴ（ε−カプロラクトン）ジオール／オリゴ（ｐ−ジオキサノン）ジオールコポリマー））であり得る。これらのマルチブロックオリゴ（ε−カプロラクトン）ジオール／オリゴ（ｐ−ジオキサノン）ジオールコポリマーは、線状鎖として一緒に結合された２つのブロックセグメント（すなわち、「ハード」セグメントおよび「スイッチング」セグメント）を有する。このような材料は、例えば、Ｌｅｎｄｌｅｉｎ，「Ｓｈａｐｅ  Ｍｅｍｏｒｙ  Ｐｏｌｙｍｅｒｓ−Ｂｉｏｄｅｇｒａｄａｂｌｅ  Ｓｕｔｕｒｅｓ」，Ｍａｔｅｒｉａｌｓ  Ｗｏｒｌｄ，第１０巻、第７号、第２９頁〜第３０頁（２００２年７月）に開示されており、この全開示は、本明細書中に参考として援用される。
【００３９】
他の実施形態において、材料のブレンドが、形状記憶ポリマーとして利用され得る。これらのブレンドとしては、乳酸および／もしくはグリコール酸、そのホモポリマーまたはコポリマーとブレンドされたウレタン、ならびにカプロラクトンとブレンドされたアクリレート（例えば、ポリカプロラクトンジメタクリレートとポリ（アクリル酸ブチル）とのブレンド）ならびにこれらの組み合わせが挙げられるが、これらに限定されない。
【００４０】
これらの形状記憶ポリマー、ならびにこれらを用いて永続的形状および一時的形状を形成するための方法の他の例は、Ｌｅｎｄｌｅｉｎら，「Ｓｈａｐｅ  ｍｅｍｏｒｙ  ｐｏｌｙｍｅｒｓ  ａｓ  ｓｔｉｍｕｌｉ−ｓｅｎｓｉｔｉｖｅ  ｉｍｐｌａｎｔ  ｍａｔｅｒｉａｌｓ」，Ｃｌｉｎｉｃａｌ  Ｈｅｍｏｒｈｅｏｌｏｇｙ  ａｎｄ  Ｍｉｃｒｏｃｉｒｃｕｌａｔｉｏｎ，３２（２００５）１０５−１１６、およびＬｅｎｄｌｅｉｎら，「Ｂｉｏｄｅｇｒａｄａｂｌｅ，Ｅｌａｓｔｉｃ  Ｓｈａｐｅ−Ｍｅｍｏｒｙ  Ｐｏｌｙｍｅｒｓ  ｆｏｒ  Ｐｏｔｅｎｔｉａｌ  Ｂｉｏｍｅｄｉｃａｌ  Ａｐｐｌｉｃａｔｉｏｎｓ」，Ｓｃｉｅｎｃｅ，第２６９巻（２００２）１６７３−１６７６に記載されており、これらの各々の全開示は、本明細書中に参考として援用される。
【００４１】
ある実施形態において、本開示のカニューレの繋留部材は、第一の環状直径（本明細書中では時々、拡張環状直径と称される）を有するリングを備える永続的形状と、より小さい外周（時々、圧縮環状直径と称される）を有する一時的形状とを有し得る。他の実施形態において、この繋留部材は、第一の外周（これは、圧縮環状直径であり得る）を有するリングを備える永続的形状と、より大きい外周（これは、拡張環状直径と称され得る）を有する一時的形状とを有し得る。
【００４２】
例えば、本開示の形状記憶ポリマー材料は、ある実施形態において、一時的形態に拡張または圧縮させられて、その永続的形状よりも約４倍大きい直径または約４分の１に小さい直径になり得る。従って、ある実施形態において、形状記憶ポリマー材料は、より細い圧縮一時的直径より約４倍まで大きい拡張直径を有する永続的形状を有する繋留部材に形作られ得る。他の実施形態において、形状記憶ポリマー材料は、より太い拡張一時的直径の約４分の１まで小さい圧縮直径を有する永続的形状を有する繋留部材を形作るために利用され得る。なお他の実施形態において、拡張永続形状と圧縮永続状態との両方を有する形状記憶ポリマー材料の組み合わせが、カニューレの表面または内部に繋留部材を形成するために利用され得る。
【００４３】
このように調製された繋留部材は、加熱の際にその元々記憶された形状を回復する。この加熱は、患者の体内に配置することによるか、または所定の温度の外来の熱を加えることによるかのいずれかであり、この所定の温度は、ある実施形態において、利用される形状記憶ポリマーについての転移温度（Ｔｔｒａｎｓ）より高い。ある実施形態において、カニューレを切開部に繋留するために利用される形状記憶ポリマー材料は、約０．００２インチ〜約０．０１インチ（約０．００５１ｃｍ〜約０．０２５ｃｍ）、ある実施形態において、約０．００５インチ〜約０．００８インチ（約０．０１３ｃｍ〜約０．０２０ｃｍ）の厚さ（ある実施形態において、圧縮環状直径と称される）を有する一時的形状を有し得、そして約０．７５インチ〜約１．７５インチ（約１．９０ｃｍ〜約４．４４ｃｍ）、ある実施形態において、約１インチ〜約１．５インチ（約２．５４ｃｍ〜約３．８１ｃｍ）の環状直径（本明細書中で、その永続的形状またはその拡張環状直径と称される）まで拡張し得、カニューレを切開の開口部に繋留する。
【００４４】
他の実施形態において、カニューレを切開部に繋留するために利用される形状記憶ポリマー材料は、約０．７５インチ〜約１．７５インチ（約１．９０ｃｍ〜約４．４４ｃｍ）、ある実施形態において、約１インチ〜約１．５インチ（約２．５４ｃｍ〜約３．８１ｃｍ）の厚さ（ある実施形態において、上記のように、拡張環状直径と称され得る）を有する一時的形状を有し得、そして約０．００２インチ〜約０．０１インチ（約０．００５１ｃｍ〜約０．０２５ｃｍ）、ある実施形態において、約０．００５インチ〜約０．００８インチ（約０．０１３ｃｍ〜約０．０２０ｃｍ）のその永続的形状（ある実施形態において、圧縮環状直径と称される）まで圧縮されるか、引き込まれるか、または収縮し得る。このような実施形態は、切開部位への挿入後にカニューレの除去を容易にするために有用であり得る。
【００４５】
同様に、形状記憶ポリマー材料は、これらが滑らかな平坦な一時的形状を有するように構成され得る。この形状は、このような材料で形作られた繋留部材を有するカニューレを組織に挿入することを容易にする。他の実施形態において、形状記憶ポリマー材料は、これらが弓形であり得る一時的形状を有し得るように構成され得、形状記憶ポリマー材料から形成された繋留部材をカニューレの全体または一部の内部または周囲に配置することを可能にする。このような材料は、その永続的形状として、角張った突出部または他の類似の構成を有し得る。適切なエネルギー（電気または熱（体温を含む）が挙げられる）の適用の際に、これらの材料は、この永続的形状を呈する。繋留部材を形成するために利用される材料が呈する永続的な角張った構成または類似の構成は、本開示のカニューレを、切開の開口部に位置する組織に繋留することを補助し得る。
【００４６】
ある実施形態において、成型プロセスが、本開示の繋留部材を製造するために利用され得る。プラスチック成型方法が使用され得、そして溶融成型、溶液成型などが挙げられ得るが、これらに限定されない。射出成型、押出し成型、圧縮成型および他の方法もまた、溶融成型技術として使用され得る。一旦、適切な構成および寸法を有する鋳型に入れられると、繋留部材は適切な温度まで加熱され得る。この適切な温度は、ある実施形態において、永久温度（Ｔｐｅｒｍ）と称される温度であり、この温度は、ある実施形態において、繋留部材を形成するために利用される形状記憶ポリマー材料の融点であり得る。繋留部材の加熱は、この繋留部材の永続的形状および寸法（その所望の構成および厚さを含む）を得るために適切な温度（例えば、約４０℃〜約１８０℃、ある実施形態において、約４５℃〜約６０℃）で、適切な時間（約１０分間〜約６０分間、ある実施形態において、約１５分間〜約２０分間）にわたって行われ得る。
【００４７】
所望の構成および厚さを有する繋留部材が形成された後に、この繋留部材は、より薄い一時的形状、交互の構成を有する一時的形状、またはこれらの両方を得るために、変形温度で変形させられ得る。他の実施形態において、繋留部材は、より厚い一時的形状、交互の構成を有する一時的形状、またはこれらの両方を得るために、所定の温度で変形させられ得る。この変形が達成され得る様式に関する所定の限定は存在しない。変形は、手で達成されても、繋留部材に所望の厚さおよび／または構成を提供するために選択された適切なデバイスによって達成されても、いずれでもよい。
【００４８】
変形のために適切な温度は、利用される形状記憶ポリマーに依存して変動するが、一般に、このポリマーの転移温度（Ｔｔｒａｎｓ）より高温であり得るがＴｐｅｒｍより低温であり得る。ある実施形態において、形状記憶ポリマーは、そのＴｐｅｒｍから、より低い温度（Ｔｔｒａｎｓより高温のままである）まで冷却され得、そしてそのより薄い一時的形状まで（ある実施形態においては圧縮によって）変形され得る。上記のように、他の実施形態において、形状記憶ポリマーは、そのＴｐｅｒｍから、より低い温度（Ｔｔｒａｎｓより高温のままである）まで冷却され得、そしてそのより厚い一時的形状まで（ある実施形態においては膨張によって）変形され得る。上記のように、他の実施形態において、形状記憶ポリマーは、そのＴｐｅｒｍから、より低い温度（Ｔｔｒａｎｓより高温のままである）まで冷却され得、そして永続的形状が角張った突出部を備え、そして一時的形状が平坦かつ滑らかであるように、（ある実施形態においてはくせ取りによって）変形され得る。
【００４９】
予め記憶された形状を有するように成型された繋留部材の変形処理のための温度は、亀裂を生じることなく容易な変形を可能にする温度であり、そして形状記憶のために採用される温度（例えば、Ｔｐｅｒｍ）を超えるべきではない。元の形状記憶のための温度を超える温度での変形処理は、物体に新しい変形後の形状を記憶させ得る。
【００５０】
他の実施形態において、繋留部材は、その一時的形状に構成され得、そしてその一時的形状を得るために室温（約２０℃〜約２５℃）まで冷却され得るが、この温度は、使用される特定のポリマーに依存して異なり得る。次いで、繋留部材は、Ｔｔｒａｎｓより低い温度まで冷却され得、この時点で、本開示の繋留部材は、上記のような繋留カニューレに固定され得るか、または繋留カニューレの製造において利用され得、そして使用の準備ができる。Ｔｔｒａｎｓは、通常、室温より高いので、ある実施形態において、室温まで冷却することは、一時的形状を形成するために充分であり得る。
【００５１】
繋留部材は、カニューレに取り付ける前にその一時的形状に変形させられ得るか、または他の実施形態において、繋留部材は、カニューレの取付け後に一時的形状に変形させられ得る。繋留部材は、任意の様式（化学的様式および／または物理的様式が挙げられ、例えば、接着剤、封止剤、膠などによる様式、あるいはいくつかの実施形態において、繋留部材の近位端および遠位端に位置する止めリングの使用）でカニューレに固定され得る。他の実施形態において、繋留部材は、カニューレの表面の凹部または浅い陥凹部内に嵌る寸法まで圧縮され得る。上記のように、他の実施形態において、形状記憶材料は、カニューレ自体を形成するために利用され得る。
【００５２】
このように調製された繋留部材は、加熱の際にその元々記憶された形状を回復する。この加熱は、患者の体内に配置することによるか、または所定の温度の外来の熱を加えることによるかのいずれかであり、この所定の温度は、ある実施形態において、利用される形状記憶ポリマーについてのＴｔｒａｎｓより高い。
【００５３】
他の形状記憶材料（形状記憶金属および金属合金（例えば、ニチノール）が挙げられる）が、繋留部材を形成するために使用され得る。
【００５４】
繋留部材の形状および厚さをその一時的形状に維持する目的で、本開示の形状記憶繋留部材は、ポリマーの塑性変形も永続的形状への永続的スイッチングも引き起こさない温度で保存され得る。ある実施形態において、形状記憶繋留部材は、冷蔵庫内に保存され得る。
【００５５】
本開示の繋留部材は、生存身体内で利用されるので、体温（約３７℃）での加熱が可能である。このような場合において、形状記憶のための温度は、可能な限り低くあり得る。ある実施形態において、永続的形状の回復は、組織への挿入の約１秒後〜約５秒後に起こり得る。
【００５６】
しかし、いくつかの実施形態において、体温よりわずかに高い温度での形状回復を行う目的で、より高い形状記憶温度が望ましくあり得る。従って、いくつかの場合において、繋留部材を変形状態から解放して元々記憶された永続的形状を回復させることは、加熱によって達成され得る。約３０℃〜約５０℃、ある実施形態において、約３９℃〜約４３℃の温度に加熱する際に、一時的形状が解放され得、そして記憶された永続的形状が回復され得る。加熱のための温度が高いほど、元々記憶された形状の回復のための時間が短くなる。この加熱のための方法は限定されない。加熱は、気体加熱媒体、液体加熱媒体、加熱デバイス、超音波などを使用して達成され得る。もちろん、生存身体が関与する用途においては、火傷を起こさない加熱温度を利用するように注意が払われ得る。液体加熱媒体が使用される場合、生理食塩水溶液が望ましくあり得る。
【００５７】
切開部への挿入の際に、形状記憶材料から作製された繋留部材は、患者の加熱または外部供給源からの熱の適用のいずれかによって、その永続的構成を呈して、カニューレを切開部位に繋留し得る繋留構成を形成することを補助し得る。ある実施形態において、形状記憶ポリマーが利用される場合、体温（約３７℃）が、繋留部材がその永続的繋留形状を形成するために充分であり得る。他の実施形態において、熱は、ある実施形態において、約３９℃〜約４３℃（ヒトの体温よりわずかに高い）で繋留部材に適用され、形状記憶ポリマーがその永続的繋留形状に戻ることを増強し得る。
【００５８】
同様に、他の実施形態において、電気的に活性なポリマー（電気活性ポリマーとしてもまた公知であり、電気の印加の際にその構成を変化させ得る）が、カニューレを身体内に固定するための繋留部材を形作るために利用され得る。電気活性ポリマーの適切な例としては、ポリ（アニリン）、置換ポリ（アニリン）、ポリカルバゾール、置換ポリカルバゾール、ポリインドール、ポリ（ピロール）、置換ポリ（ピロール）、ポリ（チオフェン）、置換ポリ（チオフェン）、ポリ（アセチレン）、ポリ（エチレンジオキシチオフェン）、ポリ（エチレンジオキシピロール）、ポリ（ｐ−フェニレンビニレン）など、または上記電気活性ポリマーのうちの少なくとも１つを含有する組み合わせが挙げられる。上記電気活性ポリマーのブレンドまたはコポリマーまたは組成物もまた使用され得る。
【００５９】
形状記憶材料がエネルギー（例えば、熱）の適用の際に起こし得る形状の変化と同様に、ある実施形態において、電気活性ポリマーは、低電圧の電気供給源（例えば、バッテリ）からの電気の印加の際に、形状を変化を起こし得る。電気はまた、ある実施形態において、形状記憶合金（例えば、ニチノール）の形状の変化を促進するために利用され得る。このような変化を生じるために適用され得る電気の適切な量は、利用される電気活性ポリマーまたは形状記憶合金と共に変動するが、約５ボルト〜約３０ボルト、ある実施形態において、約１０ボルト〜約２０ボルトであり得る。この適用の結果、電気活性ポリマーから構築された繋留部材は、その形状を変化させて、切開部位にカニューレを繋留し得る繋留構造になる。
【００６０】
電気活性ポリマーは、形状記憶ポリマーに関して上に記載された永続的形状および一時的形状と同じ永続的形状および一時的形状を有さないが、本明細書中で使用される場合、用語「永続的形状」とは、電気活性ポリマーに適用される場合、ある実施形態において、電気の印加の際に電気活性ポリマーが呈する形状をいい得、そして用語「一時的形状」とは、電気活性ポリマーに適用される場合、ある実施形態において、電気の非存在下で電気活性ポリマーが呈する形状をいい得る。
【００６１】
カニューレを組織に固定する方法もまた開示され、この方法は、開示されたカニューレを提供する工程を包含する。このカニューレは、組織の切開を通して挿入され、開口部内に繋留部材を配置し、そしてこの繋留部材が、熱（例えば、体温）または電気の適用により活性化されて、腹腔鏡手順の間にカニューレを保持することを補助する。形状記憶ポリマーは、熱の除去の際にその一時的形状に戻り得るが、ある実施形態において、形状記憶ポリマーは、拡張状態のままであり得る。電気活性ポリマーまたは形状記憶合金（例えば、ニチノール）が、繋留部材を形成するために使用される場合、このポリマーまたはニチノールは、一旦、エネルギー源の接続が外されると、その元の形状に戻り得、これによって、カニューレを患者の身体から除去するために必要とされる引き抜き力がずっと低くなる。
【００６２】
図１Ａは、繋留部材を１つ以上の選択された長手軸方向位置に有する、カニューレ１０を図示する。カニューレ１０は、任意の材料から形成され得る。カニューレ１０は、長手軸方向に延びる中心作業通路１２を有し、そしてある実施形態において、一連の繋留部材を備え得る。これらの繋留部材は、セグメント１４、セグメント１６、セグメント１８、およびセグメント２０を備えるように図示される。一例として、セグメント１４、１６、１８、および２０は、このセグメントが形状記憶ポリマーから形成される場合、熱の適用の際に拡張可能であり得るか、または拡張可能繋留部材が電気活性ポリマーもしくは形状記憶合金（例えば、ニチノール）から形成される場合、低電圧の電気供給源（例えば、バッテリ）からの電気の印加の際に拡張可能であり得る。換言すれば、セグメント１４、１６、１８、および２０として図示される拡張可能セグメントは、第一の外周を有するリングのような永続的形状、およびより小さい外周を有する一時的形状を有する。
【００６３】
拡張可能領域１８は、図１Ｂにおいて、２２として図示される拡張状態で示される。従って、図１Ａおよび図１Ｂに図示される原理によれば、カニューレは、１つ以上の選択された長手軸方向位置に配置または密封するために拡張し得る繋留部材を有し得る。
【００６４】
図１Ａおよび図１Ｂに関して上に記載された拡張可能領域は、カニューレ１０の表面に適用され得るか、または他の実施形態において、カニューレ１０は、カニューレ自体の壁の一部を形成する拡張可能領域もしくはセグメントを有するように構築され得る。このような実施形態において、このカニューレは、拡張可能な領域に結合し得る可撓性ポリマー材料から作製され得る。
【００６５】
図２Ａは、１つ以上の選択された長手軸方向位置に繋留部材を有するカニューレ１１０を図示する。カニューレ１１０は、長手軸方向に伸びる中心作業通路１１２を有し、そしてある実施形態において、形状記憶材料または電気活性ポリマーから作製された一連の拘束セグメントを備え得る。図示される拘束セグメントは、セグメント１１４、１１６、１１８、および１２０を含む。一例として、セグメント１１４、１１６、１１８、および１２０は、形状記憶ポリマーから形成される場合、熱の適用の際に制限され得るか、または拘束セグメントが電気活性ポリマーもしくは形状記憶合金（例えば、Ｎｉｔｉｎｉｏｌ）から形成される場合、低電圧の電気供給源（例えば、バッテリ）からの電気の印加の際に制限され得る。制限セグメント１１４、１１６、１１８および１２０を形成するために利用される形状記憶材料または電気活性ポリマーは、収縮し得、その結果、カニューレ１１０は、図２Ｂに図示されるようなアコーディオン形状を呈し、保持リブ１４０を形成して、手順の間にカニューレの保持を補助する。換言すれば、セグメント１１４、１１６、１１８、および１２０として図示される拘束セグメントは、第一の外周を有するリングのような永続的形状、およびより大きい外周を有する一時的形状を有する。
【００６６】
他の実施形態において、カニューレは、このカニューレの長さがエネルギーの適用の際に短縮される、長手軸方向の収縮を起こすセグメントを有し得る。ある実施形態において、このような変化は、カニューレの中心通路のオリフィスのサイズも直径も変化させることなく起こり得る。
【００６７】
図２Ａおよび図２Ｂにおいて上に記載された拘束セグメントは、カニューレ１１０の表面に適用され得るか、または他の実施形態において、カニューレ１１０は、カニューレ自体の壁の一部分を形成する拘束領域または拘束セグメントを備えるように構築され得る。拘束セグメントがカニューレの表面に適用される場合、カニューレ１１０が、圧縮され得る可撓性ポリマー材料から構築されることが有利であり得る。
【００６８】
他の実施形態において、図２Ｃに図示されるように、長手軸方向に延びる中心作業通路１１２を有するカニューレ１１０は、拘束セグメント１１４、１１６、１１８、および１２０（これらは、エネルギーの適用の際に拘束する）を有する形状記憶材料、ならびにまた、拡張可能セグメント１１３、１１５、１１７、１１９、および１２１（これらは、同じエネルギーの適用の際に拡張する）を内部に有する形状記憶材料から作製され得る。従って、セグメント１１４、１１６、１１８、および１２０が拘束してセグメント１１３、１１５、１１７、１１９、および１２１が拡張する場合、これによって、アコーディオン形状が図２Ｄに図示されるように形成される。
【００６９】
図２Ｃおよび図２Ｄにおいて上に記載された拡張可能セグメントおよび拘束セグメントは、カニューレ１１０の表面に適用され得るか、または他の実施形態において、カニューレ１１０は、カニューレ自体の壁の一部分を形成する、拡張可能な領域もしくはセグメント、および拘束可能な領域もしくはセグメントを備えるように構築され得る。
【００７０】
代替の実施形態において、長手軸方向に延びる中心作業通路１１２を有するカニューレ１１０は、図２Ｅに図示されるような滑らかな管状の一時的形状、および図２Ｆに図示されるようなアコーディオン型の永続的形状を有する、形状記憶材料から作製され得る。充分なエネルギーの適用の際に、このカニューレは、図２Ｅに図示されるようなその管状の一時的形状から、図２Ｆに図示されるその永続的なアコーディオン形状へと変化する。
【００７１】
図３Ａ〜図３Ｂは、長手軸方向シャフト２５０を有するカニューレ２１０を図示し、この長手軸向シャフトは、その上に配置された拡張繋留部材２６０を備える。繋留部材２６０は、形状記憶材料または電気活性ポリマーから作製され得る。図３Ａに図示されるように、繋留部材２６０は、長手軸方向シャフト２５０に沿って配置され得、ギャップ２６２、２６４、２６６および２６８を備える。ギャップ２６２、２６４、２６６および２６８内には、形状記憶材料または電気活性ポリマーは存在しない。すなわち、繋留部材２６０は、長手軸方向シャフト２５０の表面と共に長手軸方向に延びるギャップ２６２、２６４、２６６および２６８を備える長手軸方向シャフト２５０に適用される。図３Ａから明らかであるように、繋留部材２６０は、滑らかな平坦な構成を有する一時的形状を有する。
【００７２】
適切なエネルギー（例えば、熱または電気）の適用の際に、繋留部材２６０を形成するために利用された形状記憶材料または電気活性ポリマーは、図３Ｂに図示されるように拡張し得、ギャップ２６２、２６４、２６６および２６８は、このような拡張を可能にし、そしてカニューレ２１０の表面からの角張ったＶ字型の突出部２７０、２７２および２７４の形成を可能にして、手順の間、カニューレ２１０の保持を補助し得る。繋留部材２６０は、拡張状態において示されており、これは、永続的形状であり、図３Ｂにおいて、角度の付いたＶ字型突出部２７０、２７２および２７４として図示される。
【００７３】
図４Ａ〜図４Ｂは、長手軸方向シャフト３５０を有するカニューレ３１０を図示し、この長手軸方向シャフトは、その表面に位置する拡張繋留部材３６０を備える。繋留部材３６０は、形状記憶材料または電気活性ポリマーから作製され得る。図４Ａに図示されるように、拡張繋留部材３６０は、ギャップ３６２および３６４を備える構成で、長手軸方向シャフト３５０に沿って配置され得る。ギャップ３６２および３６４内には、形状記憶材料または電気活性ポリマーは存在しない。すなわち、繋留部材３６０は、長手軸方向シャフト３５０の表面と共に長手軸方向に延びるギャップ３６２および３６４を備える長手軸方向シャフト３５０に適用される。図４Ａに図示されるように、繋留部材３６０は、滑らかな平坦な構成を有する一時的形状を有する。
【００７４】
適切なエネルギー（例えば、熱または電気）の適用の際に、繋留部材３６０を形成するために利用された形状記憶材料または電気活性ポリマーは、図４Ｂに図示されるようなその永続的形状まで拡張し、ギャップ３６２および３６４が、このような拡張を可能にし、そしてカニューレ３１０の表面からの突出部３７０、３７２および３７４の形成を可能にして、手順の間、カニューレ３１０の保持を補助し得る。繋留部材３６０は、図４Ｂにおいて、突出部３７０、３７２および３７４として図示される拡張状態で示されており、これによって、切頭円錐構成を形成する。
【００７５】
一旦、カニューレが切開部位に固定されると、いくつかの実施形態において、腹腔鏡手順の間、吸入流体または通気ガスがこのカニューレを通して体腔に入れられ得、そして外科手術用器具および類似のデバイスが、このカニューレを通して導入され得る。
【００７６】
ある実施形態において、さらなる構成要素（医薬が挙げられる）を、本開示の繋留部材を形成するために利用される形状記憶ポリマーに追加することが望ましくあり得る。用語「医薬」とは、本明細書中で使用される場合、その最も広い意味で使用され、そして臨床用途を有する任意の物質または物質の混合物が挙げられる。その結果、医薬は、それ自体で薬理活性を有しても有さなくてもよい（例えば色素）。あるいは、医薬は、治療効果または予防効果を提供する任意の薬剤（組織の成長、細胞の成長、細胞分化に影響を与えるかまたは関与する化合物、生物学的作用（例えば、免疫応答）を引き起こし得る化合物、あるいは１つ以上の生物学的プロセスにおいて他の任意の役割を果たし得る化合物）であり得る。
【００７７】
本開示に従って利用され得る医薬のクラスの例としては、抗菌剤；鎮痛薬；麻酔薬；抗炎症剤（例えば、ホルモン剤、ヒドロコルチゾン、プレドニゾロン、プレドニゾン、非ホルモン剤、アロプリノール、インドメタシン、フェニルブタゾンなど）；診断剤；出血を止めるかまたは防止するための止血剤；抗凝固剤；抗生物質；抗真菌剤；抗ウイルス剤；および免疫学的薬剤が挙げられる。
【００７８】
本開示の繋留部材を形成するために利用される形状記憶ポリマーに医薬として含まれ得る適切な抗菌剤としては、トリクロサン（２，４，４’−トリクロロ−２’−ヒドロキシジフェニルエーテルとしてもまた公知）、クロルヘキシジンおよびその塩（酢酸クロルヘキシジン、グルコン酸クロルヘキシジン、塩酸クロルヘキシジン、および硫酸クロルヘキシジンが挙げられる）、銀およびその塩（酢酸銀、安息香酸銀、炭酸銀、クエン酸銀、ヨウ素酸銀、ヨウ化銀、乳酸銀、ラウリン酸銀、硝酸銀、酸化銀、パルミチン酸銀、銀タンパク、およびスルファジアジン銀）、ポリミキシン、テトラサイクリン、アミノグリコシド（例えば、トブラマイシンおよびゲンタマイシン）、リファンピシン、バシトラシン、ネオマイシン、クロラムフェニコール、ミコナゾール、キノロン（例えば、オキソリン酸、ノルフロキサシン、ナリジクス酸、ペフロキサシン、エノキサシンおよびシプロフロキサシン）、ペニシリン（例えば、オキサシリンおよびピプラシル（ｐｉｐｒａｃｉｌ））、ノンオキシノール９、フシジン酸、セファロスポリン、ならびにこれらの組み合わせが挙げられる。さらに、抗菌タンパク質および抗菌ペプチド（例えば、ウシラクトフェリンおよびラクトフェリンＢ）が、本開示の繋留部材を形成するために利用される形状記憶ポリマーに、医薬として含まれ得る。
【００７９】
使用され得る止血物質の例としては、フィブリンベースの局所止血物質、コラーゲンベースの局所止血物質、酸化再生セルロースベースの局所止血物質、およびゼラチンベースの局所止血物質が挙げられる。市販の止血物質の例としては、商標ＣｏＳｔａｓｉｓＴＭのもとでＴｙｃｏ  Ｈｅａｌｔｈｃａｒｅ  Ｇｒｏｕｐ，ＬＰによって販売されているフィブリノーゲン−トロンビン組み合わせ物質、および商標ＴｉｓｓｅｅｌＴＭのもとでＢａｘｔｅｒ  Ｉｎｔｅｒｎａｔｉｏｎａｌ，Ｉｎｃ．によって販売されているフィブリノーゲン−トロンビン組み合わせ物質が挙げられる。本明細書中の止血物質はまた、収斂剤（例えば、硫酸アルミニウム）および凝固剤を含む。
【００８０】
単一の医薬が、本開示のカニューレの繋留部材を形成するために利用される形状記憶材料と共に利用され得るか、または代替の実施形態において、医薬の任意の組み合わせが利用され得る。
【００８１】
医薬は、繋留部材の表面に配置され得るか、または本開示のカニューレの繋留部材を形成するために利用される形状記憶材料に含浸され得るかもしくは組み合わせられ得る。
【００８２】
形状記憶材料または電気活性ポリマーから作製された繋留部材を有する本開示のカニューレは、ある実施形態において、過剰の展開作用（繋留バルーンにおいて必要とされるものが挙げられる）に対する必要性を回避し得る。繋留部材を作製するために利用される材料は、耐久性があり、その設計は単純であり、そして本開示の繋留部材を備えるカニューレは、既存の材料および製造プロセスを利用して単純に作製される。従って、本開示は、経済的でありかつ使用が容易であるカニューレを提供する。
【００８３】
上記説明は、多くの詳細を含むが、これらの詳細は、本開示の範囲に対する限定と解釈されるべきではなく、単に、本開示の実施形態の例示と解釈されるべきである。当業者は、添付の特許請求の範囲によって規定されるような、本開示の範囲および趣旨内で、他の多くの可能なものを予測する。
【図面の簡単な説明】
【００８４】
【図１Ａ】図１Ａは、１つ以上の選択された長手軸方向位置において選択的に拡張可能であり得る少なくとも１つの繋留部材を有するカニューレを図示する。
【図１Ｂ】図１Ｂは、１つ以上の選択された長手軸方向位置において選択的に拡張可能であり得る少なくとも１つの繋留部材を有するカニューレを図示する。
【図２Ａ】図２Ａは、エネルギーの適用の際にカニューレにアコーディオン構成を形成させる繋留部材を有する、本開示のカニューレを図示する。
【図２Ｂ】図２Ｂは、エネルギーの適用の際にカニューレにアコーディオン構成を形成させる繋留部材を有する、本開示のカニューレを図示する。
【図２Ｃ】図２Ｃは、エネルギーの適用の際にカニューレにアコーディオン構成を形成させる繋留部材を有する、本開示のカニューレを図示する。
【図２Ｄ】図２Ｄは、エネルギーの適用の際にカニューレにアコーディオン構成を形成させる繋留部材を有する、本開示のカニューレを図示する。
【図２Ｅ】図２Ｅは、エネルギーの適用の際にカニューレにアコーディオン構成を形成させる繋留部材を有する、本開示のカニューレを図示する。
【図２Ｆ】図２Ｆは、エネルギーの適用の際にカニューレにアコーディオン構成を形成させる繋留部材を有する、本開示のカニューレを図示する。
【図３Ａ】図３Ａは、ギャップを有する繋留部材を有する本開示のカニューレを図示し、この繋留部材は、適切なエネルギーの適用の際に、Ｖ字型の突出部を形成する。
【図３Ｂ】図３Ｂは、ギャップを有する繋留部材を有する本開示のカニューレを図示し、この繋留部材は、適切なエネルギーの適用の際に、Ｖ字型の突出部を形成する。
【図４Ａ】図４Ａは、ギャップを有するカニューレに適用された繋留部材を有する、本開示の代替のカニューレを図示し、適切なエネルギーの適用の際に、この繋留部材は突出部を形成し、そして切頭円錐構成を呈する。
【図４Ｂ】図４Ｂは、ギャップを有するカニューレに適用された繋留部材を有する、本開示の代替のカニューレを図示し、適切なエネルギーの適用の際に、この繋留部材は突出部を形成し、そして切頭円錐構成を呈する。
【符号の説明】
【００８５】
１０  カニューレ
１２  中心作業通路
１４、１６、１８、２０  セグメント
２２  拡張状態のセグメント
【図１Ａ】
2009095675.tif 000003
【図１Ｂ】
2009095675.tif 000004
【図２Ａ】
2009095675.tif 000005
【図２Ｂ】
2009095675.tif 000006
【図２Ｃ】
2009095675.tif 000007
【図２Ｄ】
2009095675.tif 000008
【図２Ｅ】
2009095675.tif 000009
【図２Ｆ】
2009095675.tif 000010
【図３Ａ】
2009095675.tif 000011
【図３Ｂ】
2009095675.tif 000012
【図４Ａ】
2009095675.tif 000013
【図４Ｂ】
2009095675.tif 000014